(57)【要約】【課題】データ処理装置から交換器に送信されるデータ量を監視することにより、データ処理装置の異常を検出し、データ処理装置のデータをモニタ装置に保存する。【解決手段】データ量異常判定部２０１、２０２、２０３は、対応するデータ処理装置３０１、３０２、３０３が送信するデータ量が異常に多いときには、データ量異常信号を発生する。制御部１０３は、データ量異常信号を受信すると、スイッチ本体部１０２の信号パスを制御し、送信するデータ量が異常なデータ処理装置の信号パスを他のデータ処理装置から切り離し、ＡＴＭセルモニタ装置４０１に接続する。ＡＴＭセルモニタ装置４０１は、障害が発生した時のデータをバッファ部４０３に保存する。データ量の異常がなくなると、スイッチ本体部１０２内のデータ処理装置３０１、３０２、３０３の接続は復旧される。【選択図】図１
2008301141.tif 000002
【特許請求の範囲】
【請求項１】
通信回線を介して複数のデータ処理装置と接続され、該データ処理装置間の接続を制御する制御スイッチを有する交換器において、
通信データをモニタするためのデータモニタ装置と、
各データ処理装置と前記制御スイッチとの間に挿入され、各データ処理装置からの送信データ量が所定のしきい値を越えると、当該データ処理装置について送信データ量異常が発生したと判定するデータ量異常判定部と、
前記制御スイッチを制御して、前記データ量異常判定部によって送信データ量が異常と判定されたデータ処理装置の信号パスを前記データモニタ装置に接続する制御部と、を備えることを特徴とする交換器。
【請求項２】
前記データ量異常判定部によって、送信データ量が異常と判定されたデータ処理装置からの送信データ量が、その後にしきい値以下に低下したことが検出されると、前記制御部は、当該データ処理装置の信号パスを前記他のデータ処理装置の信号パスに再接続するように前記制御スイッチを制御する、請求項１に記載の交換器。
【請求項３】
前記データモニタ装置は、前記送信データ量が異常と判定された時点から、当該データ処理装置が送信したデータをログ情報として保存するバッファを備える、請求項１又は２に記載の交換器。
【請求項４】
通信回線を介して複数のデータ処理装置と接続され、該データ処理装置間の接続を制御する制御スイッチを有する交換器において、
各データ処理装置と前記制御スイッチとの間に挿入され、各データ処理装置からの送信データ量が所定のしきい値を越えると、当該データ処理装置について送信データ量異常が発生したと判定するデータ量異常判定部と、
前記データ量異常判定部によって送信データ量が異常と判定されたデータ処理装置が送信するデータをログ情報として保存するバッファと、を備えることを特徴とする交換器。
【請求項５】
前記データ量異常判定部は、ＡＴＭセルの到着回数をカウントするカウンタを備える、請求項１〜４の何れか一に記載の交換器。
【請求項６】
前記データ量異常判定部は、前記制御スイッチの処理能力の限界データ量以下のデータ量を前記所定のしきい値とする、請求項１〜５の何れか一に記載の交換器。
【請求項７】
前記データ量異常判定部は、前記データ処理装置の通常の送信データ量の２倍を前記所定のしきい値とする、請求項１〜５の何れか一に記載の交換器。
【発明の詳細な説明】
【技術分野】
【０００１】
本発明は、交換器に関し、更に詳しくは、通信回線を制御する制御スイッチを通過する送信データの異常を検出する交換器に関するものである。
【背景技術】
【０００２】
データ処理装置がＡＴＭスイッチを介して通信回線に接続されているデータ通信システムが知られている。そのようなデータ通信システムでは、データ処理装置に障害が発生すると、その障害の内容によっては、障害が発生したデータ処理装置がＡＴＭセルを大量に送信することがある。このような障害が発生すると、ＡＴＭスイッチを介して大量に流れ込むＡＴＭセルが、他のデータ処理装置へのサービス品質を低下させ、或いは、その処理能力を低下させるなど、悪影響を与えることになる。
【０００３】
図６は、データ処理装置又はＡＴＭスイッチに障害が発生した際に、その障害を解析する従来の技術を示している。図６において、データ処理装置５０１や、ＡＴＭスイッチ５０２に故障等の障害が発生すると、その障害解析のため、データ処理装置５０１とＡＴＭスイッチ５０２との間に、ＡＴＭセルモニタ装置５０３を接続する。データ処理装置５０１とＡＴＭスイッチ５０２の間に流れているＡＴＭセルを、ＡＴＭセルモニタ装置５０３によってモニタし、管理者がデータの内容を調べ、障害の内容を解析する。このように、データ通信回線に発生した障害を、モニタ装置を用いて検出する技術は、例えば特許文献１に記載されている。
【特許文献１】特開２０００−０４９７９４号公報
【発明の開示】
【発明が解決しようとする課題】
【０００４】
上記のように、例えば障害が発生したデータ処理装置による影響を調査する際には、当該データ処理装置とＡＴＭスイッチとの間に、ＡＴＭセルモニタ装置を接続し、相互の間で導通するＡＴＭセルを、ＡＴＭセルモニタ装置のディスプレイ上で確認する。この調査作業では、ＡＴＭセルモニタ装置をデータ処理処置とＡＴＭスイッチとの間に挿入し接続することから、接続のための作業が必要になり、通信システムを管理する業者の効率が低下する問題がある。
【０００５】
また、データ処理装置に発生した障害が間欠障害の場合には、一旦発生した障害はその解析が完了する前にも消滅する。このため、次に障害事象が再現するまで、ＡＴＭセルモニタ装置をサービス運用下で長期的に接続する必要がある。このような場合には、ＡＴＭスイッチとユーザのデータ処理装置との間に、本来存在すべきではないモニタ装置が存在することになり、通信サービスの提供に際して、ユーザに不利益が発生する可能性がある。
【０００６】
本発明は、データ処理装置と他のデータ処理装置とを接続する従来の交換器を、障害が発生したデータ処理装置の障害解析が容易になるように改良し、これによって、障害解析のために通信システムの管理効率を大きく低下させることなく、また、間欠障害が発生した場合であっても、その障害解析が容易になる交換器を提供することを目的としている。
【課題を解決するための手段】
【０００７】
上記目的を達成するために、本発明は、通信回線を介して複数のデータ処理装置と接続され、該データ処理装置間の接続を制御する制御スイッチを有する交換器において、
通信データをモニタするためのデータモニタ装置と、
各データ処理装置と前記制御スイッチとの間に挿入され、各データ処理装置からの送信データ量が所定のしきい値を越えると、当該データ処理装置について送信データ量異常が発生したと判定するデータ量異常判定部と、
前記制御スイッチを制御して、前記データ量異常判定部によって送信データ量が異常と判定されたデータ処理装置の信号パスを前記データモニタ装置に接続する制御部と、を備えることを特徴とする交換器を提供する。
【０００８】
また、本発明は、通信回線を介して複数のデータ処理装置と接続され、該データ処理装置間の接続を制御する制御スイッチを有する交換器において、
各データ処理装置と前記制御スイッチとの間に挿入され、各データ処理装置からの送信データ量が所定のしきい値を越えると、当該データ処理装置について送信データ量異常が発生したと判定するデータ量異常判定部と、
前記データ量異常判定部によって送信データ量が異常と判定されたデータ処理装置が送信するデータをログ情報として保存するバッファと、を備えることを特徴とする交換器を提供する。
【発明の効果】
【０００９】
本発明の交換器によると、データ処理装置などに障害が発生した際に、データ処理装置とデータモニタ装置とを接続することなく、当該データ処理装置における障害を解析することが可能になり、障害解析の際の効率が向上する。
【発明を実施するための最良の形態】
【００１０】
以下、図面を参照し、本発明の実施例について詳細に説明する。図１は、本発明の一実施例に係る交換器を構成するＡＴＭスイッチ装置を含む通信システムのブロック図である。通信システムは、ＡＴＭスイッチ１０１と、ネットワークを介してＡＴＭスイッチ１０１に接続されるデータ処理装置３０１、３０２、３０３とから構成される。ＡＴＭスイッチ１０１は、スイッチ本体部１０２と、スイッチ本体部１０２と各データ処理装置３０１、３０２、３０３との間に挿入されるデータ量異常判定部２０１、２０２、２０３と、データ量異常判定部２０１、２０２、２０３によるデータ量異常の判定結果に応答して、スイッチ本体部１０２内の信号パスを制御する制御部１０３と、制御部１０３による信号パスの制御によって、データ量が異常のデータ処理装置に接続されるＡＴＭセルモニタ装置４０１とから構成される。
【００１１】
各データ処理装置３０１、３０２、３０３は、ネットワーク及びＡＴＭスイッチ１０１を介して、他のデータ処理装置と接続されており、他のデータ処理装置との間でＡＴＭセルの送受信を行う。図１には、データ処理装置を３台として示しているが、データ処理装置の台数は、単にＡＴＭスイッチのポート数に依存するものであり、本発明ではデータ処理装置の台数に限定はない。
【００１２】
データ量異常判定部２０１、２０２、２０３は、対応するデータ処理装置３０１、３０２、３０３から送信されたＡＴＭセルの数をカウントする。データ量異常判定部２０１、２０２、２０３は、対応するデータ処理装置３０１、３０２、３０３から送信されたＡＴＭセルの単位時間当たりの個数が、例えばＡＴＭスイッチ本体部１０２の処理能力を超えている場合には、データ量異常信号１０４を発生し、制御部１０３に通知する。制御部１０３は、データ量異常信号１０４を受信すると、スイッチ本体部１０２内の信号パスを制御するパス制御信号１０５を発生し、スイッチ本体部１０２内の信号パスを切り替える。この切替えによって、データ量異常が検出された当該データを送信したデータ処理装置、例えばデータ処理装置３０３が送信したデータは、ＡＴＭセルモニタ装置４０１に送られる。データ量異常判定部２０１、２０２、２０３は、対応するデータ処理装置３０１、３０２、３０３に向けて送信されるＡＴＭセルは、そのまま通過させる。
【００１３】
図２は、ＡＴＭセルモニタ装置４０１の構成例を示している。ＡＴＭセルモニタ装置４０１は、スイッチ本体部１０２から受け取ったＡＴＭセル１０６のデータ内容を表示するマンマシンインターフェイスを構成するディスプレイ表示部４０２と、受け取ったＡＴＭセル１０６を順次に蓄積するバッファ部４０３とを有する。ＡＴＭスイッチ１０１の管理者は、障害の発生時にはディスプレイ表示部４０２上で送信データの内容を確認でき、また、その後の任意のタイミングで、バッファ部４０３に蓄積された送信データの内容をディスプレイ表示部４０２上に表示して、その内容の解析が可能である。
【００１４】
図３は、データ量異常判定部２０１、２０２、２０３における処理を示すフローチャートである。データ量異常判定部２０１、２０２、２０３は、対応するデータ処理装置３０１、３０２、３０３が送信するＡＴＭセルの単位時間当たりの到着数をカウントする（ステップＳ１）。そのカウント値が、事前に設定されたデータ量のしきい値を越えたか否かを判定する（ステップＳ２）。ステップＳ２で、ＡＴＭスイッチに流入したデータ量がしきい値を上回っていると判定したときには、ステップＳ３に進んで、ＡＴＭスイッチの制御部１０３にデータ量異常信号を通知する。ステップＳ２で、ＡＴＭスイッチに流入したデータ量がしきい値よりも小さいと判定すると、データ量正常信号を通知する。データ量異常判定部２０１、２０２、２０３は、上記ステップＳ１、Ｓ２、Ｓ３又はＳ１、Ｓ２、Ｓ４の処理を、所定のタイミングで間欠的に繰り返す。
【００１５】
データ量異常判定部２０１、２０２、２０３は、例えばカウンタによって構成する。カウンタは、対応するデータ処理装置３０１、３０２、３０３から受信するＡＴＭセルの到着回数をカウントする。ＡＴＭセルの単位時間当たりの通過数がしきい値を越えたか否かを判定し、これによって、データ量異常の発生を監視している。管理者は、例えば、各データ処理装置３０１、３０２、３０３の処理能力に基づいて、そのＡＴＭセル送信量（セル帯域）を算出し、各データ処理装置３０１、３０２、３０３に見合ったしきい値を、対応するデータ量異常判定部２０１、２０２、２０３にカウント値として設定しておく。例えば、このしきい値は、通常の送信データ量の２倍のデータ量とする。
【００１６】
図４は、ＡＴＭスイッチの制御部１０３における処理を示すフローチャートである。制御部１０３は、データ量異常判定部２０１、２０２、２０３からデータ量異常信号又はデータ量正常信号の通知を受け取る（ステップＳ１１）。制御部１０３は、その受け取った通知の内容を判定する（ステップＳ１２）。通知の内容がＡＴＭセルのデータ量がしきい値を越えた旨を示すデータ量異常信号の場合には、ステップＳ１３へ進み、当該データ量異常を発生したデータ処理装置と他のデータ処理装置との間の信号パスを切断する。次いで、そのデータ量異常が発生したデータ処理装置の信号パスをＡＴＭセルモニタ装置４０１に接続する（ステップＳ１４）。
【００１７】
ステップＳ１２で、通知の内容がデータ量正常信号であった場合には、ステップＳ１５に進み、全てのデータ処理装置がそれまで通常の信号パスでデータの送受信を行っていた場合には、その状態を継続し、また、データ量異常信号の発生によってＡＴＭセルモニタ装置４０１に接続されていたデータ処理装置があれば、そのデータ処理装置とＡＴＭセルモニタ装置４０１との間の信号パスを切断する。次いで、ステップＳ１６に進み、そのデータ処理装置の信号パスを、他のデータ処理装置の信号パスと接続し、スイッチ本体部１０２内の信号パスを元通りに復旧する。制御部１０３は、図４の処理を所定のタイミングで間欠的に繰り返す。このため、一時的にデータ量異常と判定されたデータ処理装置、例えばデータ処理装置３０３も、そのデータ量異常の状態が消滅すれば、自動的に元の状態に復帰する。
【００１８】
図５は、図１のＡＴＭスイッチ１０１で、データ処理装置３０３がＡＴＭセルモニタ装置４０１に接続された状態を示している。この状態は、データ量異常判定部２０３が、対応するデータ処理装置３０３の送信データに関して「データ量異常」の発生を検出した結果として現れる。一般に、データ処理装置は、ＡＴＭセルを送受信している運用中に、何らかの原因で障害が発生することがある。このような障害では、障害内容の予測はできず、ＡＴＭスイッチ１０１に向けて、ＡＴＭセルを大量に送出し続けることがある。この場合、データ処理装置３０３は、自身に対して割り当てられている、ＡＴＭスイッチの帯域制御や、パス制御を無視したＡＴＭセルを送出し続けている可能性がある。送出されるＡＴＭセルが、他のデータ処理装置、例えばデータ処理装置３０２に流入すると、データ処理装置３０２のサービスに悪影響を与える。つまり、従来は、１つのデータ処理装置３０３の障害が、他のデータ処理装置３０２のサービスに影響を与え、データ通信システム全体のサービス品質を低下させることがあった。
【００１９】
しかし、上記実施例のＡＴＭスイッチ１０１では、各データ処理装置３０１、３０２、３０３に対応して配置されたデータ量異常判定部２０１、２０２、２０３が、データ処理装置が送信するデータ量の異常の有無を判定している。「データ量異常」と判定されると、図５に示すように、データ処理装置３０３が送信したデータは、ＡＴＭセルモニタ装置４０１に送られ、そこでバッファ部４０３内に蓄積される。
【００２０】
データ処理装置３０３から送信されるＡＴＭセルの単位時間当たりのデータ量が、設定されたしきい値以下に戻った場合には、データ量異常判定部２０３が、その状態を検出し、データ量正常信号を制御部１０３に通知する。このため、制御部１０３は、スイッチ本体部１０２のパス設定を元に戻す。つまり、データ処理装置３０３とＡＴＭセルモニタ装置４０１とを接続していたパス設定を、運用時に設定していた、データ処理装置３０３とデータ処理装置３０１、３０２とを接続するパス設定に変更する。これによって、スイッチ本体部１０２の設定は元の状態に復帰する。その後、管理者は、ＡＴＭセルモニタ装置４０１のバッファ部４０３に蓄積されているデータの内容を、ディスプレイ表示部４０２上に表示し、その不具合が発生した状況を、データ内容に基づいて解析する。
【００２１】
上記のように、「データ量異常」が発生した場合には、スイッチ本体部１０２内のパス設定が、ＡＴＭセルをモニタできるように自動的に変更されるため、障害の期間中にＡＴＭセルデータの内容をディスプレイ上で確認することができる。従って、障害内容の調査解析が従来のＡＴＭスイッチに比べて効率的になる。また、図２にも示したように、ＡＴＭセルモニタ装置４０１にバッファ部４０３を設けて障害発生時のデータを蓄積するので、障害から復帰した後にもデータ内容の解析が可能となる。従って、間欠的な障害が発生している場合であっても、任意のタイミングで障害発生時のデータが解析できる。このため、障害事象が再現するまでＡＴＭセルモニタ装置上でデータを監視する必要がなく、障害の解析にあたっての作業負担が軽減する。
【００２２】
上記実施例では、ＡＴＭスイッチ１０１を介して、データ処理装置からの送信データ量の異常発生及び正常復帰をトリガとして、障害が発生したデータ処理装置とＡＴＭセルモニタ装置との間をパス制御する。これによって、データ処理装置が送信しているＡＴＭセルはディスプレイ表示部上で表示され、データ処理装置に障害が発生した際のデータ内容の解析が容易になり、障害調査の作業が効率的になる。
【００２３】
データ処理装置の障害が間欠障害であっても、障害が発生していない時点で障害事象が再現するまで長期間にわたってＡＴＭセルモニタ装置を監視するなどの必要がなく、調査者の負荷が軽減できる。また、障害が発生していなければ、ＡＴＭセルモニタ装置をデータ処理装置とを接続する必要性がなく、これに伴うユーザの不利益が解消できる。
【００２４】
ＡＴＭスイッチを介して、障害が発生したデータ処理装置とモニタ装置とを接続し、障害が発生したデータ処理装置と他のデータ処理装置間との信号パスが切断されるので、故障したデータ処理装置から送信されるＡＴＭセルが他のデータ処理装置の正常動作に悪影響を及ぼす不具合が解消できる。障害が発生したデータ処理装置であっても、その障害が解消された後は、通常のデータ処理装置と同様なサービスが受けられるので、障害解析に際しても、ユーザには特に不利益が発生しない。
【００２５】
なお、上記実施例では、障害が発生したデータ処理装置用のＡＴＭスイッチ内の信号パスを変更することによって、ＡＴＭセルをモニタする例を示したが、各データ処理装置間のパスをマルチパスとし、その内の１つをＡＴＭセルモニタ装置用に設定しておくことでも本発明のＡＴＭスイッチを実現できる。この場合、データ量異常の発生をトリガとして、異常が発生した期間中に、ＡＴＭセルモニタ装置４０１のバッファ部４０３に蓄積されたデータを、正常に復帰した後のデータによって書き換えないように保存する。障害解析は、バッファ部４０３に蓄積されたデータのみで行ってもよい。
【００２６】
また、図２のＡＴＭセルモニタ装置の構成は、単に例示であり、例えばディスプレイ表示部に代えて、或いは、これに加えてプリンタ装置を用いてもよい。上記実施例では、ディスプレイ表示部に表示すると同時にそのデータをバッファ部に蓄積する例を示したが、ディスプレイ表示部に表示した後にバッファ部に蓄積してもよく、あるいは、バッファ部４０３に蓄積した後に、時間スケールを変更してディスプレイ表示部４０２に表示してもよい。
【００２７】
以上、本発明をその実施例に基づいて説明したが、本発明のＡＴＭスイッチ装置は、上記実施例の構成にのみ限定されるものではなく、上記実施例の構成から種々の修正及び変更を施したものも、本発明の範囲に含まれる。
【図面の簡単な説明】
【００２８】
【図１】本発明の一実施例に係るＡＴＭスイッチを含む通信システムのブロック図。
【図２】図１に示したＡＴＭセルモニタ装置のブロック図。
【図３】図１に示したデータ量異常判定部の処理を示すフローチャート。
【図４】図１に示したＡＴＭスイッチの制御部の処理を示すフローチャート。
【図５】図１に示した通信システムで障害が発生した状態を示すブロック図。
【図６】従来のＡＴＭスイッチのブロック図。
【符号の説明】
【００２９】
１０１：ＡＴＭスイッチ
１０２：スイッチ本体部
１０３：制御部
１０４：データ量異常信号
１０５：パス制御信号
１０６：ＡＴＭセル
２０１、２０２、２０３：データ量異常判定部
３０１、３０２、３０３：データ処理装置
４０１：ＡＴＭセルモニタ装置
４０２：ディスプレイ表示部
４０３：バッファ部
５０１：データ処理装置
５０２：ＡＴＭスイッチ
５０３：ＡＴＭセルモニタ装置
【図１】
2008301141.tif 000003
【図２】
2008301141.tif 000004
【図３】
2008301141.tif 000005
【図４】
2008301141.tif 000006
【図５】
2008301141.tif 000007
【図６】
2008301141.tif 000008